(57)【特許請求の範囲】
【請求項１】
接続金具を介して複数のホース本体を一列に接続した送水ホースを複数本並列的に現場の地面等の設置面上に這わせて使用する送水ホースにおいて、
地面等の設置面上に並列的に這わされた複数の送水ホースの一方の送水ホースにおけるホース本体の端部近傍と他方の送水ホースのホース本体の端部近傍にそれぞれ装着される対のホース装着部材と、
前記対のホース装着部材相互を連結する連結部材と、
からなり、
前記連結部材は、前記ホース装着部材相互間の間隔を可変できる部材を含むことを特徴とする送水ホースの暴れ防止装置。
【請求項２】
前記連結部材は、前記一方のホース装着部材に連結される第１の部材と、前記他方のホース装着部材に連結される第２の部材とからなり、前記第１の部材と第２の部材とは、ねじ部で連結され、前記ねじ部でのねじ込み量に応じて前記連結部材の長さが調節可能であることを特徴とする請求項１に記載の送水ホースの暴れ防止装置。
【請求項３】
前記連結部材は、可撓性を有する索状体であることを特徴とする請求項１に記載の送水ホースの暴れ防止装置。
【請求項４】
接続金具を介して複数のホース本体を一列に接続した送水ホースを現場の地面等の設置面上に這わせて使用する送水ホースにおいて、
地面等の設置面上に這わされた１本の送水ホースにおけるホース本体の端部近傍と、この端部に接続金具を介して接続されるホース本体の端部近傍にそれぞれ装着される対のホース装着部材と、
前記対のホース装着部材相互を連結する、可撓性を有する索状体で形成される連結部材と、
からなることを特徴とする送水ホースの暴れ防止装置。
【請求項５】
前記ホース装着部材は、送水ホースの端部近傍に嵌合される環状体で、その円周の一部に開口部を有し、この開口部には止め具が設けられていることを特徴とする請求項１〜４のいづれか一つの請求項に記載の送水ホースの暴れ防止装置。
【発明の詳細な説明】
【技術分野】
【０００１】
本発明は、例えば、消防ホース等の大容量送水ホース等における送水時に、送水ホースの接続金具が破損したり、送水ホースが接続金具から抜けた際に、送水ホースが暴れるのを防止する送水ホースの暴れ防止装置に関する。
【背景技術】
【０００２】
例えば、消防ホースは、特許文献１，２等で知られており、ホース本体の端部には接続金具や送水ノズルが設けられている。このような消防ホースを複数本接続して消火活動を行っている最中に、送水ホースの接続金具が破損したり、送水ホースが接続金具から抜けたり、あるいは送水ホースが輪切れを起こした場合、送水ホースには高い水圧が加わっているため、送水ホースの端部から大量の水が一挙に放出する。
このとき、送水ホースの端部が拘束されている場合には問題がないが、送水ホースの端部が解放状態にあると、脈動する水圧によって送水ホースの端部が暴れる現象（ホースの端部が上下・左右に激しく振れる）が起きる。送水ホースが比較的小口径（例えば、口径が数十ｍｍ）の場合には、水圧が高い場合でも断面積が小さいので水流による総合的な力は人手で抑えられる範囲であり、その暴れを拘束できるが、大容量送水ホースになると、口径が数百ｍｍとなり、高圧で一挙に放出するため、人手でその暴れを拘束できないと共に、危険性を伴う。
例えば、石油コンビナートの石油貯蔵タンクの火災発生時のような大火災に対応できる大容量泡放射システム等に使用される大容量送水ホースにおいては、口径が４００ｍｍ、ホースの標準長さが１５０ｍ、質量が１０ｋｇ／ｍもある。この大容量送水ホースの両端部には接続金具が設けられ、接続金具を介して複数本の送水ホース相互または送水ポンプと送水ホースとが結合される。
【０００３】
このような大容量送水ホースは、通常は展張車のドラムに巻回されており、展張時にはドラムを回転駆動して大容量送水ホースを地面等に這わせる繰り出し操作とホースの両端部の接続金具同士を結合する操作を行って目的の場所に展張している。
【特許文献１】特開平８−７１１７２号公報
【特許文献２】実用新案登録第３００３１４２号公報
【発明の開示】
【発明が解決しようとする課題】
【０００４】
しかしながら、前述したように、口径が４００ｍｍの大容量送水ホースになると、水圧が仮に１ＭＰａであったとすると、ホースの長手方向に加わっている力は約１２トン力となる。このとき送水ホースの接続金具が破損したり、送水ホースが接続金具から抜けたり、あるいは送水ホースが輪切れを起こした場合、送水ホースには５０トン力以上の力が加わり、送水ホースの端部から大量の水が一挙に放出しながら暴れたときには、危険性を伴うと共に、周辺の設備機器にも損傷を与える虞がある。
本発明は、前記事情に着目してなされたもので、その目的とするところは、送水ホースの接続金具が破損したり、送水ホースが接続金具から抜けたり、あるいは送水ホースが輪切れを起こした場合でも、送水ホースが暴れたり、金具の付いた端部が跳ねたりすることなく、安全性を向上できる送水ホースの暴れ防止装置を提供する。
【課題を解決するための手段】
【０００５】
前記目的を達成するために、請求項１の発明は、接続金具を介して複数のホース本体を一列に接続した送水ホースを複数本並列的に現場の地面等の設置面上に這わせて使用する送水ホースにおいて、地面等の設置面上に並列的に這わされた複数の送水ホースの一方の送水ホースにおけるホース本体の端部近傍と他方の送水ホースのホース本体の端部近傍にそれぞれ装着される対のホース装着部材と、前記対のホース装着部材相互を連結する連結部材と、からなり、前記連結部材は、前記ホース装着部材相互間の間隔を可変できる部材を含むことを特徴とする送水ホースの暴れ防止装置である。
【０００６】
請求項２の発明は、請求項１に記載の送水ホースの暴れ防止装置において、前記連結部材は、前記一方のホース装着部材に連結される第１の部材と、前記他方のホース装着部材に連結される第２の部材とからなり、前記第１の部材と第２の部材とは、ねじ部で連結され、前記ねじ部でのねじ込み量に応じて前記連結部材の長さが調節可能であることを特徴とする。
【０００７】
請求項３の発明は、請求項１に記載の送水ホースの暴れ防止装置において、前記連結部材は、可撓性を有する索状体であることを特徴とする。
【０００８】
請求項４の発明は、接続金具を介して複数のホース本体を一列に接続した送水ホースを現場の地面等の設置面上に這わせて使用する送水ホースにおいて、地面等の設置面上に這わされた１本の送水ホースにおけるホース本体の端部近傍と、この端部に接続金具を介して接続されるホース本体の端部近傍にそれぞれ装着される対のホース装着部材と、前記対のホース装着部材相互を連結する、可撓性を有する索状体で形成される連結部材と、からなることを特徴とする送水ホースの暴れ防止装置である。
請求項５の発明は、請求項１〜４のいづれか一つの請求項に記載の送水ホースの暴れ防止装置において、前記ホース装着部材は、送水ホースの端部近傍に嵌合される環状体で、その円周の一部に開口部を有し、この開口部には止め具が設けられていることを特徴とする。
【発明の効果】
【０００９】
本発明によれば、地面等に並列的または直列的に這わされた送水ホースの端部近傍に装着されるホース装着部材相互が連結部材によって連結されているために、一方の送水ホースの接続金具が破損したり、送水ホースが接続金具から抜けたり、あるいは送水ホースが輪切れを起こした場合でも、他方の送水ホースによって送水ホースの端部が拘束されるため、暴れることはなく、安全性を向上できるという効果がある。
【発明を実施するための最良の形態】
【００１０】
以下、本発明の各実施の形態を図面に基づいて説明する。
【００１１】
図１〜図３は送水ホースの暴れ防止装置の第１の実施形態を示し、１１は第１の送水ホース、１２は第２の送水ホースであり、１３は送水ホースの暴れ防止装置である。第１及び第２の送水ホース１１，１２は、例えば口径が４００ｍｍ、ホースの長さが１５０ｍ、質量が１０ｋｇ／ｍの大容量送水ホースであり、例えば石油コンビナートの石油貯蔵タンクの火災発生時のような大火災に対応できる大容量泡放射システム等に使用されるホースを想定したものである。
【００１２】
第１及び第２の送水ホース１１，１２は、ジャケットと、このジャケットの内周面にライニングされたゴム等のライニング層とからなる可撓性を有するホース本体１４の両端部に接続金具１５を設けたものであり、接続金具１５相互を結合することにより延伸されている。図１及び図２は、第１及び第２の送水ホース１１，１２が地面に並列的に這わされた状態を示し、第１及び第２の送水ホース１１，１２のホース本体１４の端部相互は、送水ホースの暴れ防止装置１３によって連結されている。
【００１３】
送水ホースの暴れ防止装置１３は、第１及び第２の送水ホース１１，１２のホース本体１４の端部に装着される一対のホース装着部材１６，１７を有している。ホース装着部材１６，１７は同一構造であり、ホース本体１４の端部の嵌合可能な環状体１８が設けられている。環状体１８は金属または合成樹脂材料からなり、この環状体１８の円周の一部には開口部１９が設けられている。開口部１９はホース本体１４に、その側部から嵌合できるように拡開可能であり、この開口部１９には止め具２０が設けられている。止め具２０は、例えば、タング２１とバックル２２とによって構成され、タング２１をバックル２２に挿入してロックすることにより、ホース本体１４にワンタッチで結合できるようになっている。
さらに、一対の環状体１８の開口部１９と反対側には連結部材２３を構成する第１の部材２４と第２の部材２５とが固定されている。第１の部材２４は、本実施形態においてはパイプであり、その内周面には雌ねじ部２６が形成されている。第２の部材２５は軸であり、その外周面には雌ねじ部２６と螺合する雄ねじ部２７が形成されている。従って、第１の部材２４と第２の部材２５とは雌ねじ部２６と雄ねじ部２７との螺合によって連結され、例えば、第１の部材２４に対して第２の部材２５を回転させることにより、雌ねじ部２６と雄ねじ部２７との螺合深さが変化してホース装着部材１６と１７との間隔、つまり第１と第２の送水ホース１１，１２の間隔が可変できるようになっている。
このように構成された送水ホースの暴れ防止装置１３によれば、消火活動の際に地面に並列的に這わされた第１と第２の送水ホース１１，１２のホース本体１４の端部近傍に１個もしくは複数個の送水ホースの暴れ防止装置１３に配置する。そして、ホース装着部材１６，１７の環状体１８の開口部１９を拡開してホース本体１４の端部に、その側部から嵌合し、開口部１９を止め具２０のタング２１をバックル２２に挿入してロックすると、並列的に這わされた第１と第２の送水ホース１１，１２のホース本体１４の端部相互は連結部材２３を介して結合される。
【００１４】
このとき、並列的に這わされた第１と第２の送水ホース１１，１２のホース本体１４の端部相互の間隔が広すぎたり、狭すぎて環状体１８をホース本体１４の端部に嵌合できない場合には、第１の部材２４に対して第２の部材２５を回転させることにより、雌ねじ部２６と雄ねじ部２７との螺合深さが変化してホース装着部材１６と１７との間隔が可変できる。従って、第１と第２の送水ホース１１，１２の間隔に対応できるため、第１と第２の送水ホース１１，１２を引き寄せたり、離したりすることなく、ホース本体１４の端部に環状体１８を装着できる。
【００１５】
この状態で、消火活動中に、第１、第２の送水ホース１１，１２のいずれか一方、例えば第１の送水ホース１１の接続金具１５が破損したり、ホース本体１４が接続金具１５から抜けたり、あるいはホース本体１４が輪切れを起こしてホース本体１４が解放された場合、解放された一方のホース本体１４の端部から大量の水が一挙に放出する。このとき、解放された一方のホース本体１４の端部は上下・左右に振れ（暴れ）ようとするが、そのホース本体１４の端部は連結部材２３を介して送水中の第２の送水ホース１２に連結されているために、ホース本体１４の端部は拘束され、ホース本体１４の端部の上下・左右の振れ（暴れ）を阻止できる。従って、消火作業者等の安全性を確保できると共に、周辺の設備機器に損傷を与える虞もない。
【００１６】
なお、前記実施形態においては、第１の部材２４と第２の部材２５を雄ねじ部２７と雌ねじ部２６とで連結し、第１の部材２４を固定し、第２の部材２５を回転させることにより、雄ねじ部２７と雌ねじ部２６が螺合して第１の部材２４と第２の部材２５とが軸方向に伸縮するようにしたが、これは一つの実施形態を示すものであり、限定されるものではない。
図４及び図５は第２の実施形態を示し、第１の実施形態と同一構成部分は同一番号を付して説明を省略する。本実施形態の送水ホースの暴れ防止装置２８は、第１及び第２の送水ホース１１，１２のホース本体１４の端部に装着される一対のホース装着部材１６，１７を構成する環状体１８相互を連結部材として可撓性を有するワイヤロープ、繊維ロープ等の索状体２９によって連結したものである。すなわち、所定の長さの索状体２９の両端部は一対の環状体１８の開口部１９と反対側に固定されている。
【００１７】
このように構成された送水ホースの暴れ防止装置２８によれば、ホース装着部材１６と１７とを連結する索状体２９が可撓性を有するために、図４に示すように消火活動の際に地面に並列的に這わされた第１と第２の送水ホース１１，１２のホース本体１４の端部近傍にホース装着部材１６，１７の環状体１８を装着したり、図５に示すように、接続金具１５によって連結されて地面に直列的に這わされた第１と第２の送水ホース１１，１２のホース本体１４の端部近傍にホース装着部材１６，１７の環状体１８を装着することができる。
この状態で、消火活動中に、第１、第２の送水ホース１１，１２のいずれか一方、例えば第１の送水ホース１１の接続金具１５が破損したり、ホース本体１４が接続金具１５から抜けたり、あるいはホース本体１４が輪切れを起こしてホース本体１４が解放された場合、解放された一方のホース本体１４の端部から大量の水が一挙に放出する。このとき、解放された一方のホース本体１４の端部は上下・左右に振れ（暴れ）ようとするが、そのホース本体１４の端部は索状体２９を介して第２の送水ホース１２に連結されているために、ホース本体１４の端部は拘束され、ホース本体１４の端部の上下・左右の振れ（暴れ）を阻止できる。従って、消火作業者等の安全性を確保できると共に、周辺の設備機器に損傷を与える虞もない。
【００１８】
なお、前記実施形態においては、ホース装着部材１６，１７の環状体１８の開口部１９に止め具２０としてタング２１とバックル２２とを設け、タング２１をバックル２２に挿入してロックすることにより、ホース本体１４にワンタッチで結合できるようにしたが、止め具２０としては、クランプ機構、ラッチ機構、ボルト・ナットによる締付け機構でもよい。
また、第１と第２の送水ホース１１，１２を、口径が４００ｍｍ、ホースの長さが１５０ｍ、質量が１０ｋｇ／ｍの大容量送水ホース用として説明したが、大容量送水ホースに限定されるものではなく、通常規格の消防ホース用としても適用できる。
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００１９】
【図１】本発明の第１の実施形態を示し、（ａ）は送水ホースの暴れ防止装置の配置図、（ｂ）は送水ホースの暴れ防止装置の断面図。
【図２】同実施形態を示し、送水ホースの暴れ防止装置を並列的な送水ホースに装着した状態の斜視図。
【図３】同実施形態を示し、止め具の拡大した正面図。
【図４】本発明の第２の実施形態を示し、送水ホースの暴れ防止装置を並列的な送水ホースに装着した状態の斜視図。
【図５】同実施形態を示し、送水ホースの暴れ防止装置を直列的な送水ホースに装着した状態の斜視図。
【符号の説明】
【００２０】
１１，１２…送水ホース、１３…送水ホースの暴れ防止装置、１４…ホース本体、１６，１７…ホース装着部材、２３…連結部材
【図１】
0004820677.tif 000002
【図２】
0004820677.tif 000003
【図３】
0004820677.tif 000004
【図４】
0004820677.tif 000005
【図５】
0004820677.tif 000006